(57)【要約】【課題】回収の操作性及び確実性を向上させた実用的な釣り浮き回収装置を提供する。【解決手段】回収用ラインＬと連結されて投てきされ、回収用ラインＬとの連結部４０側に開口する回収口２６を介して内側の回収部２４に離脱浮きＦを導入させる複数の骨材２２で形成された骨組体１２と、骨組体１２に取り付けられ、該骨組体１２を投てきさせるための重量と、骨組体１２を浮力支持する浮力と、を有する飛ばし浮き部１３と、離脱浮きＦ側への投入後の回収時に回収口２６により形成される面が水面Ｗと交差するように保持させる呑込み開口保持機構１８と、を備えていることを特徴とする釣り浮き回収装置１０から構成される。飛ばし浮き部１３により、遠く離れた場所で離脱した浮きにも良好に対応でき、水面側に浮上するので、水面側の離脱浮きに簡便な操作で位置合わせさせて回収することができる。【選択図】図１
0003118150.tif 000002
【実用新案登録請求の範囲】
【請求項１】
回収用ラインと連結されて投てきされ、回収用ラインとの連結部側に開口する回収口を介して内側の回収部に離脱浮きを導入させる複数の骨材で形成された骨組体と、
骨組体に取り付けられ、該骨組体を投てきさせるための重量と、骨組体を浮力支持する浮力と、を有する飛ばし浮き部と、
離脱浮き側への投入後の回収時に回収口により形成される面が水面と交差するように保持させる呑込み開口保持機構と、を備えていることを特徴とする釣り浮き回収装置。
【請求項２】
呑み込み開口保持機構は、回収口の開口形状を保持するようにその口縁周囲部分に沿って設けられた閉鎖周回枠構造を含むことを特徴とする請求項１記載の釣り浮き回収装置。
【請求項３】
閉鎖周回枠構造は、骨組体の骨材先端側を周回枠状に連結する索条体を含む請求項２記載の釣り浮き回収装置。
【請求項４】
呑み込み開口保持機構は、骨組体の回収口の口縁周囲部分に取り付けられる補助浮力体を含むことを特徴とする請求項１ないし３のいずれかに記載の釣り浮き回収装置。
【請求項５】
飛ばし浮き部と補助浮力体との浮力バランスにより、回収口により形成される面が水面と交差するように保持させる請求項４記載の釣り浮き回収装置。
【請求項６】
補助浮力体は、回収口の口縁の互いに離隔した対向位置に２個配置される請求項４または５記載の釣り浮き回収装置。
【請求項７】
飛ばし浮き部は、骨組体と一体に接合された重量浮力体からなり、
該重量浮力体は水に浮かべられているときには、特定の部位を水中側に位置させて一定の大気側露出部を形成させるように定水上・水中位置保持構造を有しており、
離脱浮きの回収時に重量浮力体の定水上・水中位置保持構造を介して、回収口により形成される面が水面と交差するように保持される請求項１ないし３のいずれかに記載の釣り浮き回収装置。
【請求項８】
骨組体は、複数の骨材を先端閉鎖部から一方向に傘状に開くように構成し、開いた側の開口が回収口とされる請求項１ないし７のいずれかに記載の釣り浮き回収装置。
【請求項９】
複数の骨材は、投てき先端側となる一端側が先端閉鎖部と枢支連結されており、
少なくとも投てき時には、複数の骨材が収束状に閉じた状態となるとともに、回収時には、複数の骨材が傘状に開いて回収口を形成することを特徴とする請求項８記載の釣り浮き回収装置。
【請求項１０】
骨組体には、回収口略中心部を通るように配置され先端閉鎖部から回収口方向へ延在するように固定された支柱杆が設けられている請求項８または９記載の釣り浮き回収装置。
【請求項１１】
支柱杆には、浮力を有し回収部に離脱浮きを導入させる目安となる浮力リード標体が設けられている請求項１０記載の釣り浮き回収装置。
【請求項１２】
連結部は、回収用ラインと支柱杆との連結により構成されていることを特徴とする請求項１０または１１記載の釣り浮き回収装置。
【請求項１３】
回収用ラインは支柱杆又は浮力リード標体に接続されて連結部が構成され、該連結部は、回収用ラインの切断端部と着脱自在に連結する切断端着脱装置を含むことを特徴とする請求項１０ないし１２のいずれかに記載の釣り浮き回収装置。
【請求項１４】
切断端着脱装置は、周回隣接の線材部分を密着させて形成されたコイルばねからなり、回収用ラインのコイルばねの軸周り巻回し動作によってコイルばねに着脱自在に連結させる請求項１３記載の釣り浮き回収装置。
【請求項１５】
飛ばし浮き部は、骨組体を投てきさせるための重量を有する重量部と、
重量部の重量より勝る浮力を有する浮力部と、がそれぞれ異なる構造体で設けられて構成された請求項１ないし１４のいずれかに記載の釣り浮き回収装置。
【考案の詳細な説明】
【技術分野】
【０００１】
本考案は、例えば根掛かりや道糸の切断等で離脱された浮きを回収する釣り浮き回収装置に関する。
【背景技術】
【０００２】
釣りの最中に、例えば、根掛かり等によって道糸が切断されて浮きが流される場合がある。浮きは高価なものもあり流失させると損害が生じると同時に、予備の浮きを多数個準備しておく必要があるので釣り道具にかかる費用がかさむ。また、予備の浮きを用意していない場合には流失させた後には釣りを続けることができなくなってしまう。そのため、釣り人は流れた浮きを回収したいという要求も高い。浮きの回収は、例えば、浮きが流された場所が数ｍ程度の近くであればたも網などで回収することもできるが、たも網が近くになかったり、あるいは海等では仕掛けを数十ｍ以上に遠く離れた場所になされることが多いため、道糸が切れて流された浮きを回収する際には専用の回収道具を必要としている。従来の浮き回収道具としては、例えば、特許文献１に提案されている。特許文献１記載の浮き回収器は、後端に孔が設けられた柄軸を有する基体の先端部分からプラスチック等の合成樹脂からなる複数の骨を傘骨のように放射方向に突出させて設けられている。この浮き回収器で流された浮きを回収する際には、柄軸の孔に切れた道糸を結びつけて、浮き回収器を流された浮きよりも遠くへ投げ、道糸を巻き取りながら該回収器を手前に引きよせて、傘骨のように放射方向に突出された骨の空間内に浮きを収容させ、その状態を保持しながら回収器を手元まで巻き寄せて、浮きの回収を図るものであった。
【特許文献１】特開２００２−２７２３４０号公報
【考案の開示】
【考案が解決しようとする課題】
【０００３】
特許文献１に記載の浮き回収器では、浮き回収器が水中に沈むように設けられているから、水面に浮かぶ浮きを回収する際には、道糸を巻き取る速さ等をコントロールして浮き回収器を水面側に浮かせる必要があった。さらに、回収器の開口に浮きを入れる際には水中に沈んだ回収器を下方から斜め上方に移動させてすくいあげるような動作となっていた。したがって、浮きに対して回収器の開口を位置あわせするのが難しく、回収に失敗するケースも多いものであった。すなわち、回収の確実性が低く、回収操作に高度な操作技術を必要としていた。さらに、骨にかかる水圧の影響や、海上を漂う藻やゴミ等が骨に引っかかることにより、傘状の骨が外に開くように曲がったり、折れたり等変形して骨どうしの間隙が広がってしまうので、回収器の開口から内側に浮きを導入できても、入った浮きがその広がった隙間から再び回収器の外に流出してしまう問題があった。また、携帯性や回収時の操作のために回収器全体がプラスチック等の比較的軽量素材で設けられているので、回収器を投げる際に、軽すぎて遠くまで投てきできなかったり、風の影響を受けて流されたりして、回収器が浮きまで届かずに回収できなかった。さらに、浮き回収器の柄軸の孔に道糸を結びつける作業が煩雑で時間もかかるので、準備している間に浮きがどんどん流されて手遅れになるおそれがあった。
【０００４】
本考案は、上記従来の課題に鑑みてなされたものであり、その一つの目的は、遠く離れた場所の離脱した浮きにも良好に対応できるとともに、回収の操作性及び確実性を向上させた実用的な釣り浮き回収装置を提供することにある。さらに他の目的は、回収部内に導入した浮きを離脱させることがなく確実に回収できる釣り浮き回収装置を提供することにある。さらに、他の目的は、準備に手間取ることなく浮きが離脱した後に素早く回収作業を行える釣り浮き回収装置を提供することにある。
【課題を解決するための手段】
【０００５】
上記課題を解決するために本考案は、回収用ラインＬと連結されて投てきされ、回収用ラインＬとの連結部４０側に開口する回収口２６を介して内側の回収部２４に離脱浮きＦを導入させる複数の骨材２２で形成された骨組体１２，１２ａと、骨組体１２，１２ａに取り付けられ、該骨組体１２，１２ａを投てきさせるための重量と、骨組体１２，１２ａを浮力支持する浮力と、を有する飛ばし浮き部１３，１３ａと、離脱浮きＦ側への投入後の回収時に回収口２６により形成される面が水面Ｗと交差するように保持させる呑込み開口保持機構１８と、を備えていることを特徴とする釣り浮き回収装置１０から構成される。呑込み開口保持機構１８は、少なくとも回収時に回収口２６により形成される面が水面Ｗと交差状態を保持させるように設けられていればよい。例えば、回収用ラインの回収操作による牽引力が作用した際に、該牽引力と協働して回収口２６により形成される面が水面Ｗと交差状態を保持する構成としてもよい。回収装置自体は、コンパクトで、他の釣り道具と一緒に持ち運びしやすい。
【０００６】
さらに、呑み込み開口保持機構１８は、回収口２６の開口形状を保持するようにその口縁周囲部分に沿って設けられた閉鎖周回枠構造３２を含むこととしてもよい。
【０００７】
また、閉鎖周回枠構造３２は、骨組体２２の骨材先端２２ａ側を周回枠状に連結する索条体（３４）を含むこととしてもよい。なお、索条体としては、例えば、金属製の細いワイヤ、紐、合成樹脂製の紐等その他任意のある程度強度がある可撓性の索条でよい。
【０００８】
また、呑み込み開口保持機構１８は、骨組体１２の回収口２６の口縁周囲部分に取り付けられる補助浮力体３８を含むこととするとよい。
【０００９】
また、飛ばし浮き部１３と補助浮力体３８との浮力バランスにより、回収口２６により形成される面が水面Ｗと交差するように保持させることとするとよい。
【００１０】
また、補助浮力体３８は、回収口２６の口縁の互いに離隔した対向位置に２個配置されることとしてもよい。
【００１１】
さらに、飛ばし浮き部１３ａは、骨組体１２ａと一体に接合された重量浮力体からなり、該重量浮力体は水に浮かべられているときには、特定の部位（４８２）を水中側に位置させて一定の大気側露出部（４８１）を形成させるように定水上・水中位置保持構造４８を有しており、離脱浮きＦの回収時に重量浮力体の定水上・水中位置保持構造４８を介して、回収口２６により形成される面が水面Ｗと交差するように保持されることとしてもよい。
【００１２】
また、骨組体１２，１２ａは、複数の骨材２２を先端閉鎖部２０から一方向に傘状に開くように構成し、開いた側の開口が回収口２６とされることとしてもよい。回収時の水流れ方向に対して複数の骨材の方向が略揃うので、骨組体１２，１２ａが水から受ける抵抗が少ない。
【００１３】
また、複数の骨材２２は、投てき先端側となる一端側が先端閉鎖部２０と枢支連結（４６）されており、少なくとも投てき時には、複数の骨材２２が収束状に閉じた状態となるとともに、回収時には、複数の骨材２２が傘状に開いて回収口２６を形成することとしてもよい。骨組体１２ａは、複数の骨組体２２が先端閉鎖部２０に枢支連結されたことにより傘状に開いたり閉じたりしうる構成となる。
【００１４】
また、骨組体１２，１２ａには、回収口２６略中心部を通るように配置され先端閉鎖部２０から回収口２６方向へ延在するように固定された支柱杆３０が設けられていることとしてもよい。
【００１５】
また、支柱杆３０には、浮力を有し回収部２４に離脱浮きを導入させる目安となる浮力リード標体４４が設けられていることとしてもよい。浮力リード標体４４は、例えば、発泡合成樹脂、木材等その他の浮力素材、又は、空気を封入した中空成形体等任意の浮力体でよい。浮力リード標体４４は、遠くの場所からでも目立つように、ある程度の大きさの立体形状が好適である。さらに、表面の色等を例えば、蛍光色等の目立つ色に着色するとよい。なお、浮力リード標体４４と飛ばし浮き部とを協働させて装置全体を浮力支持させる構成としてもよい。例えば、複数個の浮力体を骨組体１２及び支柱体３２に取り付けて、そのうちの支柱体３２に取り付けた一個を浮力リード標体としてもよい。
【００１６】
また、連結部４０は、回収用ラインＬと支柱杆３０との連結により構成されていることとしてもよい。
【００１７】
また、回収用ラインＬは支柱杆３０又は浮力リード標体４４に接続されて連結部４０が構成され、該連結部４０は、回収用ラインＬの切断端部と着脱自在に連結する切断端着脱装置（４２、４３）を含むこととしてもよい。
【００１８】
その際、切断端着脱装置は、周回隣接の線材部分を密着させて形成されたコイルばね４２からなり、回収用ラインＬのコイルばね４２の軸周り巻回し動作によってコイルばねに着脱自在に連結させる構成とするとよい。
【００１９】
また、飛ばし浮き部１３，１３ａは、骨組体１２，１２ａを投てきさせるための重量を有する重量部（１４）と、重量部（１４）の重量より勝る浮力を有する浮力部（１６）と、がそれぞれ異なる構造体で設けられて構成されたこととしてもよい。重量部（１４）は、例えば、スチレンゴムや合成樹脂、樫等の木等のある程度重量を有しつつそれ自体は水に浮く素材で設けられるとよい。浮力部（１６）は、例えば、発泡合成樹脂、木材等その他の浮力素材、又は、空気を封入した中空成形体等任意の浮力体でよい。
【考案の効果】
【００２０】
本考案の釣り浮き回収装置によれば、回収用ラインと連結されて投てきされ、回収用ラインとの連結部側に開口する回収口を介して内側の回収部に離脱浮きを導入させる複数の骨材で形成された骨組体と、骨組体に取り付けられ、該骨組体を投てきさせるための重量と、骨組体を浮力支持する浮力と、を有する飛ばし浮き部と、離脱浮き側への投入後の回収時に回収口により形成される面が水面と交差するように保持させる呑込み開口保持機構と、を備えていることから、投てき後には飛ばし浮き部の浮力作用で装置全体が水面側に浮上するとともに、呑み込み開口保持機構により離脱浮きを回収口から導入させやすい状態に保持できるので、回収用ラインの簡単な操作だけで回収口を離脱浮きに位置あわせすることが可能となり、確実に離脱浮きを回収することができる。さらに、重量を備えた飛ばし浮き部を取り付けたことにより、例えば、骨組体が軽量であっても遠くの位置へ投てきすることができるので、遠くの位置で離脱した浮きにも良好に対応して回収することができる。
【００２１】
また、呑み込み開口保持機構は、回収口の開口形状を保持するようにその口縁周囲部分に沿って設けられた閉鎖周回枠構造を含む構成とすることにより、例えば、骨材が水圧を受けたりや、藻やゴミがひっかかることによる回収口の開口形状が変形するのを防止でき、離脱浮きを良好に回収口から導入することができる。
【００２２】
また、閉鎖周回枠構造は、骨組体の骨材先端側を周回枠状に連結する索条体を含む構成とすることにより、閉鎖周回枠構造を簡単な構成で低コストで製造できる。さらに、例えば、骨組体を傘状に開く構成とした場合に、骨材間の間隙が広がるように変形して一端回収部内に導入させた離脱浮きが再び離脱するのを防止でき、回収の確実性を向上しうる。
【００２３】
また、呑み込み開口保持機構は、骨組体の回収口の口縁周囲部分に取り付けられる補助浮力体を含む構成とすることにより、回収口より形成される面を水面と交差するように回収口を水面側に保持する構成を、簡単な構成で具体的に構成できる。
【００２４】
また、飛ばし浮き部と補助浮力体との浮力バランスにより、回収口により形成される面が水面と交差するように保持させる構成とすることにより、離脱浮き側に投てきした後には、回収装置自身の複数の浮力体によりバランスを取って回収口により形成される面と水面との交差状態が保持されるので、回収用ラインの煩雑な操作を必要とせず、簡単な操作のみで離脱浮きを回収口内に導入して回収することができる。
【００２５】
また、補助浮力体は、回収口の口縁の互いに離隔した対向位置に２個配置される構成とすることにより、２個の補助浮力体のバランスで、例えば、回収口の上半分を水上側に、下半分を水中側に配置させて水面部分に回収口を安定的に設定して、回収口から離脱浮きを呑み込み状に導入させるような開口状態を良好に保持できる。
【００２６】
また、飛ばし浮き部は、骨組体と一体に接合された重量浮力体からなり、該重量浮力体は水に浮かべられているときには、特定の部位を水中側に位置させて一定の大気側露出部を形成させるように定水上・水中位置保持構造を有しており、釣り浮きの回収時に重量浮力体の定水上・水中位置保持構造を介して、回収口により形成される面が水面と交差するように保持される構成とすることにより、飛ばし浮き部が回収口により形成される面が水面と交差するように保持する機能を有する上、回収口が常に略同じ状態で水面と交差するから、回収用ラインの煩雑な操作を必要とせず、簡単な操作のみで離脱浮きを回収口内に導入して回収することができる。さらに、例えば、補助浮力体を取り付ける場合と比較して装置全体が受ける投てき時の空気抵抗及び回収時の水の抵抗を減少させて良好な回収作業を行えると同時に、部品点数の少ない構成で製造することができる。
【００２７】
また、骨組体は、複数の骨材を先端閉鎖部から一方向に傘状に開くように構成し、開いた側の開口が回収口とされる構成とすることにより、回収時に骨組体が受ける水の抵抗が少ない構成であるので、スムーズに回収作業を行える。さらに、回収用ラインに過負荷がかかって切断される等のおそれが少なく確実な離脱浮きの回収を行える。また、簡単な構成で骨組体を構成でき低コストで製造できる。また、投てき時に受ける空気抵抗が少なく、飛ばし浮き部と協働して、例えば、数十メートル以上離れた離脱浮きの位置の近くへコントロールして投てきするのに有利である。
【００２８】
また、複数の骨材は、投てき先端側となる一端側が先端閉鎖部と枢支連結されており、少なくとも投てき時には、複数の骨材が収束状に閉じた状態となるとともに、回収時には、複数の骨材が傘状に開いて回収口を形成する構成とすることにより、投てき時には複数の骨材が収束状に閉じた状態となるので受ける空気抵抗がより減少し、遠くの位置まで良好に投てきすることができる。また、回収時には、複数の骨材が傘状に開くので、スムーズな回収作業を行なえる。
【００２９】
また、骨組体には、回収口略中心部を通るように配置され先端閉鎖部から回収口方向へ延在するように固定された支柱杆が設けられている構成とすることにより、例えば、骨組体に飛ばし浮き、回収用ラインとの連結部、或いは浮力リード標体等の回収装置の構成要素を具体的に取り付ける構成を実現することができる。
【００３０】
また、支柱杆には、浮力を有し回収部に離脱浮きを導入させる目安となる浮力リード標体が設けられている構成とすることにより、浮力リード標体が回収装置を離脱浮きに誘導させる際の目安として、離脱浮きに回収口を簡便に位置合わせすることができ、操作性及び回収の確実性を大幅に向上させることができる。
【００３１】
また、連結部は、回収用ラインと支柱杆との連結により構成されていることにより、骨組体と回収用ラインとの連結構成を具体的に構成できる。さらに、回収用ラインの操作を確実に骨組体に伝達でき、簡便かつスムーズに回収口の開口の向きを変更させて、離脱浮きを回収することができる。
【００３２】
また、回収用ラインは、支柱杆又は浮力リード標体に接続されて連結部が構成され、該連結部は、回収用ラインの切断端部と着脱自在に連結する切断端着脱装置を含む構成とすることにより、例えば、切断された釣り糸を回収用ラインとして、釣りに使う釣竿及び釣り糸を回収道具として有効に利用できる上、使い勝手もよい。また、回収装置自体をコンパクトに構成でき、持ち運びに便利である。
【００３３】
また、切断端着脱装置は、周回隣接の線材部分を密着させて形成されたコイルばねからなり、回収用ラインのコイルばねの軸周り巻回し動作によってコイルばねに着脱自在に連結させる構成とすることにより、回収用ラインをコイルばねに巻きつけるだけの簡単な操作でラインと回収装置とを連結することができ、浮きが離脱した後に素早く浮き回収作業を行うことができる。さらに、簡単な構成で切断単着脱装置を構成でき、回収装置を低コストで製造できる。
【００３４】
また、飛ばし浮き部は、骨組体を投てきさせるための重量を有する重量部と、重量部の重量より勝る浮力を有する浮力部と、がそれぞれ異なる構造体で設けられて構成されたことから、例えば、特殊な素材や複雑な構成を必要とせず、重量部と浮力部とをそれぞれ既存の部材等を利用して骨組体に簡単に組み付けることができ、回収装置を簡単に製造することができる。
【考案を実施するための最良の形態】
【００３５】
以下添付図面を参照しつつ、本考案の釣り浮き回収装置について説明する。本考案の釣り浮き回収装置は、釣りの際に、例えば、根掛かりや道糸の切断等で離脱した浮きを回収する釣り浮き回収装置である。
【００３６】
図１ないし図８は、本発明の釣り浮き回収装置の第１の実施形態を示している。図１、図２に示すように、本実施形態において、釣り浮き回収装置１０は、回収用ラインＬと連結されて投てきされる骨組体１２と、飛ばし浮き部１３と、呑み込み開口保持機構１８と、を含む。なお、本実施形態では、骨組体１２と連結される回収用ラインＬとしては、例えば、切れた道糸が利用される。
【００３７】
図１、図２、図３に示すように、本実施形態では、骨組体１２は、複数の骨材２２を有しており、これらの複数の骨材２２により、回収用ラインとの連結部側に開口する回収口２６と、回収口から内部に連続した回収部２４と、が形成されている。骨組体１２は、離脱浮きＦ側に向けて投てきされ、回収用ラインＬを手前に（図６上、矢視Ｘ方向に）牽引操作して、骨組体の回収口２６を浮きの方向に向けた状態で移動させて、回収口２６から回収部内に離脱浮きＦを導入させながら離脱浮きを回収する。本実施形態では、骨組体１２は、投てき先端側となる部分に略円錐形状の先端閉鎖部２０が設けられ、複数の骨材２２は該先端閉鎖部２０から一方向に傘状に開くように構成されている。骨組体１２は、傘状に開いた中空内部を浮きの回収部２４とし、傘状に開いた側の開口すなわち骨材の自由端側で形成される開口を回収口２６としている。本実施形態では、骨組体１２は、外形形状が先端閉鎖部２０を頂部とする略楕円錐形の底面側（図２上、二点鎖線Ｒ）を開口した略中空楕円錐形状となるように傘の骨状に複数の骨材を先端閉鎖部２０に放射状に固定して構成されている。複数の骨材２２は、プラスチック等の合成樹脂製で、ある程度可撓性を有する細い杆部材からなり、骨材間に浮きが通過しない程度で細長い略三角形または略台形状の間隙２８を形成している。この骨材間の間隙２８が骨組体１２の内外を連通して水が通り抜ける通水流部となっている。このように骨組体を傘状に構成することで、回収時に骨組体１２が受ける水の抵抗が少なく、回収用ラインＬや骨組体にかかる負荷を軽減し、回収用ラインの切断等の不具合を防止しつつ回収操作をスムーズに行い得る。また、可撓性の骨材を手で容易に収束することができ、例えば、筒体内に収容させて、嵩張ることなく簡便に持ち運び、収納することができる。なお、骨組体１２は、例えば、円錐形状、箱形状、円筒形状、半球状等にその他任意の形状に回収口及び回収部を形成するように複数の骨材を傘状に構成してもよい。本実施形態では、回収口２６は、後述の呑み込み開口保持機構１６を介して、その略楕円形の開口形状が保持されるとともに、回収口が形成する略楕円形（Ｒ）で囲まれた面が水面Ｗに交差させた状態で保持される。
【００３８】
本実施形態では、骨組体１２には支柱杆３０が設けられており、この支柱杆３０を介して骨組体１２は回収用ラインＬ側と連結されている。本実施形態では、支柱杆３０は、ある程度剛性を有するように形成されたプラスチック等の合成樹脂製の直杆部材からなる。支柱杆３０は、回収口２６の略中心部、本実施形態では略楕円形状の中心部を通るように配置され、先端閉鎖部２０から回収口方向へ延在するように固定されている。すなわち、支柱杆３０は、一端側を先端閉鎖部２０に一体的に固定されつつ、傘状に構成された骨組体１２の中心軸の位置に配置されて、他端側を回収口２６から回収部２４の外側へ突出されている。支柱杆３０の他端側には、回収用ラインが連結される連結部４０が形成されている。具体的には、支柱杆３０の他端側には後述の浮力リード標体４４が一体的に設けられており、回収用ラインは該浮力リード標体４４を介して接続されて連結部４０が構成されている。支柱杆３０は、骨組体１２と一体的に固定されているので、支柱杆３０の左右方向への操作に即座に連動して回収口２６の開口方向も向きを変えるようになっている。さらに、本実施形態では、この支柱体３２により骨組体１２に浮力体１６、回収用ラインＬとの連結部４０及び浮力リード標体４４を具体的に取り付けることができる構成を実現している。
【００３９】
飛ばし浮き部１３は、骨組体１２に取り付けられており、該骨組体１２を投てきさせるための重量と、骨組体１２を浮力支持する浮力と、を有する。図１、図３に示すように、本実施形態では、飛ばし浮き部１３は、重量体１４と、浮力体１６と、の異なる２つの構造体から設けられている。
【００４０】
重量体１４は、骨組体１２に取り付けられ、該骨組体１２を遠く離れた場所へ投てき可能とするために重量を付加する投てき用重量部である。本実施形態では、図１に示すように、重量体１４は、先端閉鎖部２０に一体的に設けられており、例えば、該先端閉鎖部２０をスチレンゴム等の合成ゴム、樫等の木材やその他、合成樹脂等のある程度重量を有しつつそれ自体は水に浮く素材で設けられている。重量体１４は、骨組体の投てき先端側に設定されているので、投てき時には例えば、骨組体１２と回収用ラインとが絡まったりせず、安定して遠くへ飛ばすことができる。さらに着水した際には回収口側が釣り人に向けた状態となるようになっている。なお、重量体は、先端閉鎖部２０とは別構成としてもよく、例えば、支柱杆３０に一体的に取り付ける構成としても良く、その他任意の取りつけ構成でもよい。
【００４１】
浮力体１６は、重量体１４の重量に勝る浮力により回収装置１０全体を浮力支持する浮力手段である。すなわち、浮力体１６は、離脱浮きＦが浮上している水面側に骨組体１２を浮力支持する。本実施形態は、浮力体１６は、例えば、発泡ポリスチレン等の発泡浮力素材からなり、ある程度の大きさで、骨組体１２の回収口２６側に頂点部を向けた略円錐形状に形成されている。浮力体１６は、例えば、略円錐形の中心軸を支柱杆３０に貫通させた状態で骨組体１２の回収部２４内側の先端閉鎖部２０側すなわち重量体１４に一体的に接合されている。本実施形態では、浮力体１６は、上記のような略円錐形状であるから、回収時に水の抵抗を受けにくく、上述の骨組体の傘状に開いた構成と相俟って、回収装置全体が受ける水の抵抗が比較的少ない構成となっている。なお、飛ばし浮き部１３は、該浮力体を含む回収装置１０全体で生じる浮力が、重量体１４を含む装置全体の総重量による沈む力を上回るようにその浮力の大きさ等を設定するとよい。また、浮力体１６の形状は、特に限定されず、例えば楕円球体、球体、どんぐり形状等、その他任意形状でもよい。また、浮力体の位置、個数も任意でよく、例えば、２個以上の複数個を取り付けて、骨組体や支柱杆の複数の位置に分散させて配置してもよい。本実施形態では、飛ばし浮き部１３は、投てきさせるための重量を有する重量部（１４）と、重量体の重量より勝る浮力を有する浮力部（１６）と、がそれぞれ異なる構造体で設けられて構成されているが、飛ばし浮き部を一つの構造体で一体的に構成されていてもよい。例えば、比重が１未満で、かつ１に近い素材のみで形成して重量と浮力を有する重量浮力体から構成してもよい。また、発泡素材や中空成形体からなる浮力体の内部に金属製の重量体を埋設させて一体化させた構成や、逆に、浮力体の外側に重量体を被覆状に一体化させた構成でもよく、その他任意の投てき用重量と、装置の浮力支持用の浮力を備えた構成であればよい。
【００４２】
呑み込み開口保持機構１８は、離脱浮きＦ側への投入後の回収時に回収口２６により形成される面が海面Ｗと交差するように保持させる機構である。この呑み込み開口保持機構１８は、図６に示すように、離脱浮きＦを回収口２６から回収部２４内へ導入させる際に、骨組体１２が海面に浮かんだ該離脱浮きＦを丸呑みするような回収口の開口状態（呑み込み開口状態）を形成し、かつその開口状態を保持する構成を実現している。これにより、確実な浮きの回収を行える。本実施形態では、呑み込み開口保持機構１８は、閉鎖周回枠構造３２と、補助浮力体３８と、を含む。
【００４３】
図１、図２に示すように、閉鎖周回枠構造３２は、回収口２８の口縁周囲部分には、略楕円形の開口形状を保持するようにその口縁周囲部分に沿って設けられている。閉鎖周回枠構造３２は、本実施形態では、骨材の自由端側を周回枠状に連結するワイヤ３４を含む。ワイヤ３４は、例えば、細い可撓性の金属線条からなり、骨材の自由端側に形成された回収口の開口の形状（例えば、図２上、二点鎖線Ｒ）に対応して、隣接の骨材どうしを接続されている。これにより、水圧等により骨材が変形して、該骨材自由端側で形成される回収口の開口形状が変形するのを防止する。さらに本実施形態では、骨材間の間隙２８が所定の間隔以上に広がらないようにしており、骨組体の回収部内に導入させた離脱浮きが再び離脱するのを防止している。なお、ワイヤに限らず、紐類等その他任意の可撓性索条体でも良い。
【００４４】
本実施形態では、補助浮力体３８は、回収口２６の口縁周囲部分に取り付けられている。補助浮力体３８は、例えば、発泡ポリスチレン等の浮力素材からなり、球体状に形成されている。補助浮力体３８は、略楕円形状の回収口２６の長径方向に対向した位置に計２個配置されており、骨材の自由端側に例えば接着剤等で一体的に固定されている。図３、図６にも示すように、２個の補助浮力体３８は、浮力体１６との間に平面視で略二等辺三角形状に配置されており、これらの３つの浮力体１６、３８、３８の浮力バランスにより、回収口２６により形成される面が海面Ｗと交差するように保持させる。すなわち、本実施形態では、浮力体１６は、呑み込み開口保持機構の構成要素となっている。さらに、本実施形態では、２個の補助浮力体３８の浮力バランスにより、略楕円形状の回収口２６が水面に沿った方向に長径を向けるような横長の開口状態となり、上半楕円形部分を水上側に、下半楕円形部分を水中側に配置させて、離脱浮きが浮上している水面部分の回収口の横幅が最大横幅となるようになっている。したがって、水面側の離脱浮きＦを有効に導入させうる回収口２６の開口面積を広く保持でき、例えば、回収用ライン側の煩雑な操作を必要としなくても常に呑み込み開口状態を保持させることができ、水面側に浮上している浮きを骨組体の回収部内に導入効率を向上させる。特に、本実施形態では、回収口２６が略楕円形に形成され、かつ横長状態で水面側に保持されることにより、円形のものと比較して有効に浮きを導入しうる開口を幅広く確保している。
【００４５】
図１、図４、図５に示すように、回収用ラインＬと骨組体１２との連結部４０は、本実施形態では、例えば、支柱杆３０の他端部側に設けられた浮力リード標体４４に取り付けられたコイルばね４２からなる。コイルばね４２は、回収用ラインＬの切断端部と着脱自在に連結させる切断端着脱装置を構成している。コイルばね４２は、例えば、引っ張りばねのように、金属線材を周回隣接の線材部分を互いに密着させながらコイル巻き形成された円筒コイルばねからなり、常に縮退方向に付勢されている。コイルばね４２は、その円筒軸を略支柱杆の軸方向に設定して、例えば右巻きで形成されている。図４に示すように、回収用ラインＬをコイルばね４２と連結させる際には、コイルばね４２のコイル巻きとは逆巻方向に該コイルばねの軸周り巻きまわし動作によって、回収用ラインを密着されているばね線材の間に挟みこみながらコイルばねに数回、例えば、４〜６回程度巻きつけて連結される。図５に示すように、コイルばね４２に巻きつけた回収用ラインＬは、コイルばねのばね力により線材間に挟まれて巻きつき状態が保持して、例えば、投てき時や回収時に回収用ラインと骨組体とが容易に離脱しないような強固な連結状態が構成される。これにより、簡単かつ短時間操作で回収用ラインＬの切断端部と回収装置１０とを連結することができ、素早く浮きの回収作業に移ることができる。なお、コイルばね４２を浮力リード標体４４から支柱杆３０の後端部分を突設させてその支柱杆３０の後端部分に取り付けることとしてもよい。
【００４６】
なお、回収用ラインＬとの連結部４０はコイルばね４２に限るものではなく、その他任意の連結構造でもよい。例えば、図９に示すように、連結部４０は、支柱杆３０の後端側にヨリモドシ４３等のラインねじれ防止機構を備えた糸連結装置を取り付けた構造でも良い。これにより、回収用ラインの撚りを防止できる。また、支柱杆３０に単に連結用の孔を設けた構造でもよい。また、連結部４０は、例えば、支柱杆３０に取り付けずに、前述の骨組体の骨材、或いは、周回枠構造３２を形成するワイヤ３４に紐やワイヤ、チェーン等の索条体を回収口を交差するように接続し、この索条体に回収用ラインを接続するようにしてもよい。
【００４７】
図１に示すように、支柱杆３０の端部側に設けられた浮力リード標体４４は、浮力を有し回収部２４に離脱浮きＦを導入させる際の目安となる回収装置１０の誘導目標物である。本実施形態では、浮力リード標体４４は、例えば、発泡ポリスチレン等の発泡浮力素材からなり、遠く離れた場所からでも目立つように表面に赤や黄等の目立つ色、又は蛍光色を単色又は複数の色で塗装されたある程度の大きさの略楕円球状の立体浮力構造体で設けられている。この浮力リード標体４４を目印として該浮力リード標体４４を水上に漂う離脱浮きＦに当接させるように回収用ラインＬを操作し、浮力リード浮き標体と離脱浮きＦとを近接させた状態で回収用ラインＬを巻き取り又は牽引すると確実に離脱浮きＦが回収部２４内に導入させることができ、浮き回収の確実性を向上させうる。本実施形態では、浮力リード標体４４と呑み込み開口保持機構１８とが協働して、より確実に離脱浮きの回収を行える構成を実現している。
【００４８】
次に、図６ないし図８をも参照しながら本実施形態に係る釣り浮き回収装置の作用について説明する。例えば、仕掛けを投てきして釣りをしている最中に、根掛かり等で道糸が切断されて浮きが離脱した場合には、切れた道糸を回収用ラインＬとして、道糸の切断端部を回収装置１０の連結部４０に連結させる。この際、連結部はコイルばね４２からなるので、連結作業は、回収用ラインのコイルばねの軸周り巻き回し動作だけでよいから、結びつけるものと比較して簡便であり、連結作業時間を大幅に短縮できる。その結果、浮きの離脱後に該浮きを見失うことがなく、手遅れになる前に素早く回収作業に移ることができる。回収用ラインを連結した後に、骨組体１２を離脱浮きＦ側に投てきする。骨組体には飛ばし浮き部１３が設けられているので、その重量により例えば、数十ｍ以上遠く離れた位置にも投てきすることができる。図６に示すように、釣り浮き回収装置は、呑み込み開口保持機構を介して、飛ばし浮き部１３（浮力体１６）と補助浮力体３８との浮力バランスにより海面Ｗに浮かんだ状態で、回収口２６により形成される面が水面Ｗと交差するように保持される。したがって、例えば、離脱浮き回収装置の回収口と離脱浮きとの位置合わせは、水面上での平面的な位置合わせだけでよいので操作が簡単である。図７、図８にも示すように、回収口に離脱浮きＦを導入させる際には、浮力リード標体４４を目安として回収用ラインを介して操作し、該浮力リード標体４４を離脱浮きＦに近付けると、回収口が自然と離脱浮きＦの方向に向いた状態となる。そして、この状態でリールで回収用ラインを巻く等して骨組体を（例えば、図６上、矢視Ｘ方向に）牽引し、回収口２６から回収部２４内へ離脱浮きＦが導入される。この際、上述のような呑み込み開口保持機構の構成により、簡便に回収部内へ離脱浮きを導入させることができる。同時に、骨組体が水の抵抗を受けたり、藻やゴミ等がひっかかっても、骨材及び回収口が変形して間隙２８が広がることがなく、回収部内に導入させた離脱浮きが再び離脱するのを防止して、確実に回収することができる。そして、さらに回収用ラインを巻いて、釣り浮き回収装置を回収して、離脱浮きを手元に回収できる。回収した後には、釣り浮き回収装置を回収用ラインとした道糸から分離させて、道糸の切断端部に再び仕掛け等を結びつけて釣りを再開することができる。
【００４９】
次に、図１０ないし図１５を参照しつつ本考案の釣り浮き回収装置の第２の実施形態について説明するが、上記した実施形態と同一部材には同一符号を付し、その詳細な説明は省略する。本実施形態において、釣り浮き回収装置１０ａは、骨組体１２ａと、飛ばし浮き部１３ａと、呑み込み開口保持機構１８ａと、を備えている。図１０に示すように、骨組体１２ａは、複数の骨組体２２を先端閉鎖部２０から一方向に向けて傘状に開いた状態と（図上、二点鎖線）、複数の骨組体２２が中心軸（支柱杆３０）周りに収束させて閉じた状態（図上、実線）と、に開閉できるように設けられている。図１３に示すように、本実施形態では、それぞれの骨材２２は、投てき先端側となる一端部を枢支連結部４６を介してそれぞれ先端閉鎖部２０に枢支連結されている。枢支連結部４６は、先端閉鎖部２０の後端側の円周縁部に骨材の数に対応して骨材の先端部を挿入しうる複数の凹設部４７が設けられており、該凹設部４７内に枢支ピン軸４９が該先端閉鎖部円周縁部の接線方向に軸方向を向けて固定されている。そして、それぞれの骨材２２先端の孔が枢支ピン４９に枢支されており、該骨材２２は、回収口側を自由端として枢支ピン４９周りに図１３上、矢視Ｙ方向に自在に回動するように設けられている。なお、骨材２２の開き方向側への回動は、該骨材先端側を周回枠状に連結しているワイヤ３４によって規制されている。ワイヤ３４は、複数の骨材を収束させた際には撓み、骨材が傘状に開いた状態で張設されて閉鎖周回枠構造３２を構成して、回収口の形状を保持する。図１５にも示すように、骨組体１２ａは、投てき時には、例えば、複数の骨材２２が投てき先端側から受ける風の抵抗によって、収束状に閉じた状態となる。これにより、投てきされた骨組体は空気抵抗の影響を受けにくく、遠くの離脱浮きの位置まで良好に投てきすることができる。一方、骨組体の離脱浮き側へ投入後の回収時には、例えば、複数の骨材２２が連結部４０側から受ける水の抵抗等により、傘状に開いて回収口２６を形成することができ、上記実施形態同様に離脱浮きの回収を行える。
【００５０】
図１０、図１１に示すように、骨組体１２ａの先端閉鎖部２０側には、上記実施形態同様に飛ばし浮き部１３ａが一体的に接合されている。飛ばし浮き部１３ａは、先端閉鎖部２０に設けられた重量体１４と、浮力体１６ａと、の２つの構造体からなる重量浮力体で構成されている。本実施形態では、離脱浮きの回収時には、前記重量浮力体に設けられた定水上・水中位置保持構造４８を介して、回収口により形成される面が水面と交差するように保持される。すなわち、本実施形態では、呑み込み開口保持機構１８ａは、骨組体１２の回収口２６には上記実施形態の補助浮力体３８を有しておらず、閉鎖周回枠構造３２と、飛ばし浮き部１３ａに設けられた定水上・水中位置保持構造４８と、を含む。定水上・水中位置保持構造４８は、水に浮かべられているときに特定の部位を水中側に位置させて一定の大気側露出部を形成させる機能を有しており、重量浮力体が常に同じ姿勢を保持するように水に浮かぶことで、該重量浮力体に一体的に接合されている骨組体全体及び回収口の姿勢を保持する。
【００５１】
本実施形態では、図１１、図１２、図１３に示すように、定水上・水中位置保持構造４８は、浮力体１６ａの構造により構成されている。浮力体１６ａは、例えば、その断面が半円部４８１と三角部４８２とを接続させた略扇形状で、かつ先端閉鎖部２０側から連結部４０側に向けて断面形状が徐々に小さくなるようなテーパ状に形成された、断面略扇形の錐体状に形成されている。図１４に示すように、浮力体１６ａは、例えば、浮力素材から一体的に形成されており、断面半円部４８１側が三角部４８２側よりも体積が大きく浮力が大きいので、水に浮かべられた際には、断面半円部４８１側が常に大気側に露出するようになり、三角部４８２側が水中に位置するようになっている。図１１に戻って、浮力体１６ａは、骨組体１２ａが傘状に開いた状態で、楕円形状の長径部分を境界にして、半円部４８１が上半楕円形部分１２１に対応し、三角部４８２が下半楕円形部分１２２に対応するように配置されて骨組体の先端閉鎖部側に一体的に接合されている。したがって、図１４に示すような浮力体１６ａの作用により、略楕円形状の回収口２６は、上半楕円形部分１２１を水上側に、下半楕円形部分１２２を水中側に常に配置させて、水面部分の回収口の横幅が最大横幅となる状態で保持される。これにより、常に呑み込み開口状態を保持させることができると同時に、水面側の離脱浮きＦを有効に導入させうる回収口２６の開口面積を広く保持でき、良好に離脱浮きを回収できる。また、浮力体１６ａは、回収口側が断面形状の小さいテーパ状に形成されているので、回収時に受ける水の抵抗が少なく、スムーズな回収作業を行える。なお、本実施形態では、定水上・水中位置保持構造４８は、浮力体の形状により構成されているがこれに限らず、例えば、飛ばし浮き部となる重量浮力体を、水中側に位置させる部位に比重の重い素材を、露出部となる部位を比重の軽い素材を設定して一体的に設けることとしてもよく、その他任意の位置保持できる構成であればよい。
【００５２】
本実施形態に係る釣り浮き回収装置１０ａにおいても、例えば、遠くの位置で離脱された浮きをスムーズに回収することができる、回収口の形状を保持できて離脱浮きの導入を良好に行える等の上記実施形態同様の作用効果を奏する。特に、本実施形態では、図１５に示すように、骨組体１２ａを投てきする際には、複数の骨材２２が収束状に閉じた状態となるとともに、骨組体には補助浮力体等の抵抗を受ける部分を極力減じた構成であるから、上記実施形態と比較して、投てき時に骨組体が受ける空気抵抗が大幅に低く、より良好に遠くまで投てきすることができる。さらに、回収時には、骨組体が傘状に開いた構成となるとともに定水上・水中位置保持構造４８により、回収口により形成される面が水面と交差するように保持され、上記実施形態同様に煩雑なライン操作を必要とせずスムーズに回収操作を行うことができる。この際、上記実施形態のような補助浮力体等の抵抗を受ける部分がないので、骨組体が受ける水の抵抗も弱く、スムーズに回収操作を行うことができる。
【００５３】
以上説明した本考案の釣り浮き回収装置は、上記した実施形態のみの構成に限定されるものではなく、実用新案登録請求の範囲に記載した本考案の本質を逸脱しない範囲において、任意の改変を行ってもよい。
【産業上の利用可能性】
【００５４】
本考案の釣り浮き回収装置は、例えば、根掛かりや、道糸の劣化、その他道糸への過負荷等により、道糸が切断されて水面に離脱した浮きを回収するのに好適に利用される。特に、離脱した浮きの場所が遠い場合でも確実に回収できる点で有利である。
【図面の簡単な説明】
【００５５】
【図１】第１実施形態に係る釣り浮き回収装置の側面図である。
【図２】図１の釣り浮き回収装置のＡ−Ａ線断面説明図である。
【図３】図１の釣り浮き回収装置の平面側から見た一部省略斜視説明図である。
【図４】図１の釣り浮き回収装置の連結部周辺の拡大図及び回収用ラインと連結する際の作用説明図である。
【図５】連結部の要部断面説明図である。
【図６】図１の釣り浮き回収装置の作用説明側面図である。
【図７】図６の作用説明平面図である。
【図８】図６の作用説明斜視図である。
【図９】連結部の他の形態の説明図である。
【図１０】第２実施形態に係る釣り浮き回収装置の側面図である。
【図１１】図１０の釣り浮き回収装置の複数の骨材を開いた状態でのＢ−Ｂ線断面説明図である。
【図１２】図１１のＣ−Ｃ線断面の一部拡大説明図である。
【図１３】定水上・水中位置保持構造の一部の斜視図である。
【図１４】定水上・水中位置保持構造の作用説明図である。
【図１５】図１０の釣り浮き回収装置の作用説明図である。
【符号の説明】
【００５６】
１０    釣り浮き回収装置
１２    骨組体
１３    飛ばし浮き部
１４    重量体
１６    浮力体
１８    呑み込み開口機構
２０    先端閉鎖部
２２    骨材
２４    回収部
２６    回収口
３０    支持杆
３２    周回枠構造
３４    ワイヤ
３８    補助浮力体
４０    連結部
４２    コイルばね
４４    浮力リード標体
４８    定水上・水中位置保持構造
【図１】
0003118150.tif 000003
【図２】
0003118150.tif 000004
【図３】
0003118150.tif 000005
【図４】
0003118150.tif 000006
【図５】
0003118150.tif 000007
【図６】
0003118150.tif 000008
【図７】
0003118150.tif 000009
【図８】
0003118150.tif 000010
【図９】
0003118150.tif 000011
【図１０】
0003118150.tif 000012
【図１１】
0003118150.tif 000013
【図１２】
0003118150.tif 000014
【図１３】
0003118150.tif 000015
【図１４】
0003118150.tif 000016
【図１５】
0003118150.tif 000017